(57)【要約】【課題】低コストで設置が簡単、天候の影響を受け難く故障し難い撮像表示装置の提供。【解決手段】この装置は板状体１とディスプレイ装置２とを備える。板状体１は不透光性で、板面に複数の穿孔１１が均一の配列で形成されて、各穿孔１１の内側壁に光線を反射するための反射面１３を有し、各穿孔１１内に透明柱体１２が充填される。ディスプレイ装置２は板状体１の横に板状体１と距離を保ちつつ設置される。このようにしてディスプレイ装置２から放射する光線を透明柱体１２の一端１２ａから受光し、透明柱体１２ａの他端１２ｂで放出するようになっている。【選択図】図１
2015014655.tif 000002
【特許請求の範囲】
【請求項１】
不透光性の板材からなり、板面に複数の穿孔が均一の配列で形成されて、前記各穿孔の内側壁に光線を反射するための反射面を有し、前記各穿孔内に透明柱体が充填され、前記透明柱体により一端を入射端として光線を受光し、当該光線を反射しながら他端に導く板状体と、
前記板状体の横に前記板状体と所定の距離を保ちつつ設置され、光線を前記板状体の板面に投影するディスプレイ装置と、
を備える、
ことを特徴とする板状体の撮像表示装置。
【請求項２】
前記穿孔の前記反射面は当該孔の壁面の研磨加工によりポリッシング効果を有する壁面からなることを特徴とする請求項１に記載の板状体の撮像表示装置。
【請求項３】
前記穿孔の前記反射面はポリッシング効果を有する金属薄膜により形成されることを特徴とする請求項１に記載の板状体の撮像表示装置。
【請求項４】
前記透明柱体は透過率の高いプラスチック製の柱体からなることを特徴とする請求項１に記載の板状体の撮像表示装置。
【請求項５】
前記透明柱体は透過率の高いガラス製の柱体からなることを特徴とする請求項１に記載の板状体の撮像表示装置。
【請求項６】
前記穿孔の細孔径の範囲を直径０．１ｍｍ〜５ｍｍとすることを特徴とする請求項１に記載の板状体の撮像表示装置。
【請求項７】
前記板状体は金属薄板又はプラスチック薄板からなることを特徴とする請求項１に記載の板状体の撮像表示装置。
【請求項８】
前記板状体の厚さの範囲を１ｍｍ〜３ｍｍとすることを特徴とする請求項１に記載の板状体の撮像表示装置。
【請求項９】
前記板状体は前記穿孔の数が少なくとも２万個以上で、かつ前記穿孔間の距離を０．５ｍｍ〜１０ｍｍに保つことを特徴とする請求項１に記載の板状体の撮像表示装置。
【発明の詳細な説明】
【技術分野】
【０００１】
本発明は、板状体の撮像表示装置に関する。
【背景技術】
【０００２】
様々な広告方式がある中で、屋外電子広告看板ディスプレイは一般的な屋外広告の一種であり、建築物の壁面に設置されてＯＯＨにおける広告、宣伝に採用されている。屋外電子広告看板ディスプレイはＬＥＤ電子ディスプレイによりテレビＣＭを放映して宣伝広告を行うもので、宣伝効果に優れた広告方法になっている。
【発明の概要】
【発明が解決しようとする課題】
【０００３】
しかしながら、いくら宣伝効果に優れた屋外電子広告看板ディスプレイであっても、次のような問題点がある。
（１）コストが高い。
（２）消費電力が高い。
（３）昼間の表示効果が薄い。
（４）体積が大きくて重い。
（５）取付けにくい。
（６）取り付け後の建築物及び壁面の外観に影響を及ぼす。
（７）天候の影響を受けて故障する。
（８）メンテナンスコストが高い。
（９）建築物又は壁面の寸法に限られる。
（１０）適用範囲が限られる。
【０００４】
そこで、本発明は、このような従来の問題点に鑑み、低コストで、簡単に取り付け及びメンテナンスができ、消費電力が低くて、外観に影響を及ぼすことがなく、しかも視覚上の目障りな感じもなく、天候の影響が受けにくく、故障しにくい板状体の撮像表示装置を提供すること、を目的とする。
【課題を解決するための手段】
【０００５】
上記問題点を解決し、上記目的を達成するために、本発明の板状体の撮像表示装置は不透光性の板状体と、前記板状体の横に設置され、且つ前記板状体と距離を保ちつつ光線を前記板状体の板面に投影するディスプレイ装置を備え、前記板状体の板面には複数の穿孔が均一に配列されつつ設けられ、各の前記穿孔の内に透明柱体が充填され、前記透明柱体の一端が入射端となりつつ前記ディスプレイ装置から投射される光線を受光してから光線を反射して前記透明柱体のもう一端に導き、前記穿孔の内側壁には光線を反射するための反射面を有する、ことを要旨とする。
この場合、前記穿孔の前記反射面は研磨加工によりポリッシングの効果を有する穴の壁面となることが好ましい。
前記穿孔の前記反射面にはポリッシングの効果を有する金属薄膜が形成されることが好ましい。
前記透明柱体は透過率の高いプラスチック製の柱体であることが好ましい。
前記透明柱体は透過率の高いガラス製の柱体であることが好ましい。
前記穿孔の細孔径の範囲を直径0.1mm〜5ｍｍとすることが好ましい。
前記板状体は金属薄板、プラスチック薄板のいずれか1つであることが好ましい。
前記板状体の厚さの範囲を1mm〜3ｍｍとすることが好ましい。
前記板状体は表面の前記穿孔の数が少なくとも2万個以上であり、且つ前記穿孔間距離を0.5mm〜10ｍｍに保つことが好ましい。
【発明の効果】
【０００６】
本発明の板状体の撮像表示装置によれば、上記の各構成により、次のような効果を奏する。
（１）板状体及びディスプレイ装置の組合せにより、効果的なディスプレイ表示を実現することができる。より重要なのは板状体が屋外に露出して設置できることである。この板状体は天候に耐えることができ、天候の影響を受けない。また、ディスプレイ装置は室内又は板状体の後に隠せるので天候の影響を受けない。このような方式でこの撮像表示装置を室内又は屋外に設置するので、設置するのに利便性があり、製造コストも低く、また、本装置を建築物又は壁面に掛けても建築物又は壁面の外観に影響を及ぼさないことから、本装置は産業上の利用性を有する。
（２）穿孔及び透明柱体の組合せにより、ディスプレイ装置が起動する前に板状体を同一牆壁板で実施できる。ディスプレイ装置は板状体の後に隠れているので、ディスプレイ装置が視聴者から垣間見られることはない。ディスプレイ装置が起動して光線を投射し始めると、光線は板状体の後側の板面から穿孔の透明柱体を通して前側の板面まで導かれて放ち出され、複数の光点が集まるようにきらきら光るパターンとなり、まるでTVスクリーンのような表示装置となるので、屋外広告又は室内広告用の看板としても、優れた広告宣伝効果を発揮する。
（３）穿孔の反射面、若しくは金属薄膜により、穿孔内の光線を透明柱体内により集中させることができ、透明柱体から放ち出された光点がよりキラキラと光るようになり、画像の歪みを軽減して、板状体の表示効果をより一層向上させることができる。
（４）板状体は実際の需要により、金属薄板又はプラスチック薄板を選択できるので、本装置は応用範囲が広い。
【図面の簡単な説明】
【０００７】
【図１】本発明の一実施の形態における板状体の撮像表示装置の構成を示す斜視図
【図２】同撮像表示装置の要部を示す部分拡大斜視図
【図３】同撮像表示装置の使用時の状態を示す斜視図
【図４】同撮像表示装置の使用時の状態を示す断面図
【図５】同撮像表示装置の変更例を示す斜視図
【図６】同撮像表示装置の建築物での使用状態を示す斜視図
【図７】同撮像表示装置の車両での使用状態を示す斜視図
【図８】同撮像表示装置の特に板状体の変更例を示す部分拡大斜視図
【図９】同撮像表示装置の特にディスプレイ装置の変更例を示す斜視図
【発明を実施するための形態】
【０００８】
次に、この発明を実施するための形態について図を用いて説明する。図１に板状体の撮像表示装置を示し、図２のその要部を示している。図３にこの撮像表示装置の使用時の状態を示し、図４にその要部を示している。
図１及び図２に示すように、板状体の撮像表示装置１００は板状体１とディスプレイ装置２とを備える。板状体１は、不透光性の板材からなり、板面に複数の穿孔１１が均一の配列で形成されて、各穿孔１１の内側壁に光線を反射するための反射面１３が設けられ、各穿孔１１内に透明柱体１２が充填され、透明柱体１２により一端１２ａを入射端として光線を受光し、この光線を反射しながら他端１２ｂに導くようになっている。ディスプレイ装置２は、板状体１の横に板状体１と所定の距離を保ちつつ設置され、光線を投射する機能を有し、光線を板状体１の板面に投影するようになっている。このようにしてディスプレイ装置２から放射する光線を透明柱体の一端１２ａで受光し、透明柱体１２ａの他端１２ｂから放出するようになっている。
【０００９】
この場合、ディスプレイ装置２はプロジェクター２１である。このプロジェクター２１の起動前は、板状体１の板面が壁面のように見える。一方、板状体１の後ろに隠れるように設置されたプロジェクター２１を起動し、放ち出された光線２０が板状体１の後側の板面に投射されると、板状体１の穿孔１１の透明柱体１２を通して前側の板面まで導かれて放ち出されて、図３に示すように、前側の板面に複数の光点が集まるように形成され、きらきら光るパターンとなる。この場合、穿孔１１の内側壁が反射面１３であるので、これにより、ディスプレイ装置２から投射される光線が透明柱体１２の一端１２ａに入ると、図４に示すように、反射面１３によって反射されて他端１２ｂに導かれて、より明るく集中する光点を呈するようになり、画像の歪みを軽減できる。さらに、単位面積当たり（例えば長さ１５０ｃｍ×幅２５０ｃｍ）には複数の穿孔１１が設けられ、かつ穿孔１１の数が２万個以上であるため、板状体１の板面に数万の明るい光点を呈するようになる。これにより、本装置は、まるで隠蔽式ディスプレイのような表示装置となる。板状体１を屋外に設置して実施した場合は、板状体１はまるで墻壁又は建築物の壁のように見えるものの、ディスプレイ装置２が光線を投射すると、板状体１が屋外電子広告看板ディスプレイとなり、特に夜に実施する場合は表示効果が良い。
【００１０】
この装置では、透明柱体１２で光線を透過し、同時に、穿孔１１を閉じるので、風雨が板状体１の一方の板面（表側の板面）から反対の他方の板面（裏側の板面）に影響を及ぼすことがない。この場合、透明柱体１２は透過率の高いプラスチック製（例えばＰＥ、ＰＰ、ＰＶＣなどの材質）の柱体からなる。この透明柱体１２の製造には、プラスチック材料を液体となるまで加熱し、注入又は加圧注入により穿孔１１内に注ぎ込んで、冷却する方法を取り、これにより、穿孔１１内に固体の透明柱体１２が形成される。このような製造方法を実施することにより、コストが低くなり、製造も簡単で、迅速に大量生産できるので、板状体１の価額を大幅に低減することができる。
【００１１】
また、この装置では、透明柱体１２は透過率の高いガラス製の柱体であってもよい。ガラス製の柱体はプラスチック製の柱体より透過率が高く、導光効果が良い。また、プラスチック製又はガラス製の柱体を問わず、透明柱体１２は防水効果に優れる。
【００１２】
板状体１はそれ自体が優れた耐候性及び適用可能性を有するので、室内の使用で実施するだけでなく屋外の使用で実施してもよい。この装置は、映像が板状体１を貫通して板状体１の反対側の板面に映し出されて、視聴者の前に映像を映すようにしたことで、雨に打たれても風に吹かれても恐れるに足りないこと、画質が悪くないこと、ドット落ちがないことといった利点がある。また、従来のＬＥＤ電子ディスプレイに比べれば、同じ面積の解像度で本装置は消費電量が６％〜１０％しかないので極めて省エネである。メンテナンスの面では、板状体１を補修する必要があまりないので、屋外大型広告看板ディスプレイの製造費用を大幅に低減でき、屋外電子広告看板ディスプレイの代わりに利用することができる。
【００１３】
図５に板状体の撮像表示装置の変更例を示している。上述の板状体の撮像表示装置１００では、一つの板状体１が一つのディスプレイ装置２に対応するものとして例示されているが、この板状体の撮像表示装置１００は、超大画面の需要に応えるために、複数の板状体１と複数のディスプレイ装置２の組合わせになっている。このように複数の板状体１と複数のディスプレイ装置２を組合わせることにより広告宣伝効果をより高めることができ、実施するのに非常に便利である。
【００１４】
図６にこの撮像表示装置の建築物での使用例を示し、図７にこの撮像表示装置の車両での使用例を示している。図６及び図７に示すように、板状体１の特性により、本装置は建築物２００若しくは車両３００に合せて設置し、利用することができる。この場合、板状体１の仕様は実際の需要によって寸法サイズを調整できるほかに、ドット落ちが発生しない。また、大画面を組合わせる際には、板状体１をそれぞれゼロ間隔で組合わせ、同時に、ディスプレイ装置２の画像サイズに比例するようにする。また、ディスプレイ装置２の画像面積及びブライトネスに合せる調整もできる。外観に影響を及ぼす恐れがなく、ディスプレイパネル及び牆壁として利用でき、かつ建築物２００若しくは車両３００の構造体の一部となるので、本装置の産業上の利用性が大幅に向上する。
【００１５】
また、この板状体の撮像表示装置では、板状体１に次のような構成が採用される。
板状体１の穿孔１１の細孔径の範囲を直径０．１ｍｍ〜５ｍｍとする。板状体１の面積によって、穿孔１１の細孔径の寸法をそれに対応して調整することで、ディスプレイ装置２に合せて高精細な映像を映すことができる。また、板状体１の穿孔１１の数は少なくとも２万個以上で、かつ穿孔１１間の距離を０．５ｍｍ〜１０ｍｍに保つ。
板状体１は薄板であるが、厚さが１ｍｍを下回ると歪みが発生しやすいので、その最小の厚さを１ｍｍとする。この場合、板状体１は厚さがより厚くなると、板の強度も強くなるものの、相対的に重さも増加するので、設置及び運搬に不利である。そこで、実際の状況に応じて厚さの適切な板状体１を採用することが望ましく、板状体１の厚さの範囲を１ｍｍ〜３ｍｍとすることが好ましい。
板状体１には金属薄板又はプラスチック薄板のいずれかが採用される。板状体１が金属薄板の場合、研磨加工により反射面１３の表面の屈折率を高めることで、反射面１３がポリッシングの効果がある穴の壁面となる。これにより光線が透明柱体１２の一端１２ａから他端１２ｂに確実に導かれる。このような方式により、製造が便利でかつ迅速になり、コストも低く、設置時間も短縮でき、透明柱体１２を注入すると、密閉度が高くなりより反射面１３を保護強化できて、風化及び脱落が発生しにくくなる。
板状体１を「プラスチック薄板」若しくは「金属薄板」のいずれかとした場合、図８に示すように、穿孔１１の反射面１３に金属薄膜１４を増加させることができる。金属薄膜１４は以下のいずれか１つである。電気めっき膜、ディップコーティング膜、スプレーコーティング膜、化学コーティング膜である。上述のコーティング技術としては、電気めっき加工、ディップコーティング加工、スプレーコーティング加工、化学コーティング加工がある。なお、これらは従来の技術であるため、これ以上詳しく述べないことにする。金属薄膜１４は研磨加工による反射面１３のように優れたポリッシングの効果があるので、表面の屈折率を高めることができる。そこで、「プラスチック薄板」、若しくは穿孔の明るさの足りない「金属薄板」に金属薄膜１４を採用することが適している。
【００１６】
さらに、この板状体の撮像表示装置では、ディスプレイ装置２に次のような装置構成が採用されてもよい。図９に示すように、ディスプレイ装置２はディスプレイー２２であり、大型の板状体１に複数のディスプレイ２２を組合わせてビデオスプリッタで統合される方式を採っており、この方式により高精細度のパターンの需要の場合に応えられる。なお、図５にディスプレイ装置２としてプロジェクター２１を例示したが、このようなプロジェクター２１を用いた方式は大画面のパターンの需要の場合に応えられる。このように異なるディスプレイ装置２によって更なる応用の範囲を広げることができるので、応用しにくいという状況の発生する恐れはない。
【００１７】
なお、上述では本考案の好ましい実施例を開示したに過ぎず、それを以って、本考案の実用新案登録請求の範囲が制限されることは無い。この分野の技術者が、本考案の実施の形態を理解したうえ、本考案の思想を逸脱することなく種々の改造やそれと同じ置き換えを行っても、それはすべて本考案の範囲に含まれるものである。
【符号の説明】
【００１８】
１  板状体
１１  穿孔
１２  透明柱体
１２ａ  一端
１２ｂ  他端
１３  反射面
１４  金属薄膜
２  ディスプレイ装置
２０  光線
２１  プロジェクター
２２  ディスプレイ
１００  撮像表示装置
２００  建築物
３００  車両
【図１】
2015014655.tif 000003
【図２】
2015014655.tif 000004
【図３】
2015014655.tif 000005
【図４】
2015014655.tif 000006
【図５】
2015014655.tif 000007
【図６】
2015014655.tif 000008
【図７】
2015014655.tif 000009
【図８】
2015014655.tif 000010
【図９】
2015014655.tif 000011